【手続補正書】
【提出日】平成17年8月11日(2005.8.11)
【手続補正１】
【補正対象書類名】明細書
【補正対象項目名】特許請求の範囲
【補正方法】変更
【補正の内容】
【特許請求の範囲】
【請求項１】  （ａ）各々がハンドセットに電力を供給するための充電可能なハンドセット・バッテリを具えた１あるいはそれ以上の無線ハンドセットと、
（ｂ）ＡＣ電源に結合されており、結合形ハンドセット・バッテリを充電するために、前記結合形ハンドセット・バッテリと物理的にドッキングし、またＡＣ電源の異常に応答して、前記結合形ハンドセット・バッテリからベースユニットに電力を供給する充電クレードルを具えたベースユニットと、
を含み、
ベースユニットは、さらに、それがバックアップ電源として結合形ハンドセット・バッテリを利用していれば、ＡＣ電源に異常が検出されたことを１あるいはそれ以上の無線ハンドセットに通知するために、前記１あるいはそれ以上の無線ハンドセットに通知信号を送信する手段を含んでいる、
無線電話システム。
【請求項２】  １あるいはそれ以上の無線ハンドセット、複数の無線ハンドセットからなる、請求項１記載の無線電話システム。
【請求項３】  各ハンドセットは、ハンドセット送受信機を含み、ベースユニットは、前記ハンドセット送受信機を経由して各ハンドセットと通信を行うためのベース送受信機を含み、ベース送受信機は、各ハンドセットに対して排他的オーディオ・パケット・タイムスロットを割り当てる時分割多元接続（ＴＤＭＡ）エポックに従って、ハンドセット送受信機を介して各ハンドセットと割り当てられたＲＦチャンネルを経て時分割多元接続リンクを確立する手段を含んでいる、請求項２記載の無線電話システム。
【請求項４】  充電クレードルは、複数の無線ハンドセットのうちの１個のハンドセットと結合形ハンドセットの充電ハンドセット・バッテリと物理的にドッキングし、結合形ハンドセット・バッテリは、前記結合形ハンドセットの充電可能ハンドセット・バッテリを含む、請求項２記載の無線電話システム。
【請求項５】  １あるいはそれ以上の無線ハンドセットは、単一のハンドセットを含み、結合形ハンドセット・バッテリは、取り外されたハンドセット・バッテリを含んでいる、請求項１記載の無線電話システム。
【請求項６】  ベースユニットは、複数の充電クレードルを含む、請求項１記載の無線電話システム。
【請求項７】  ベースユニットは、充電クレードル中にロック機構を付勢するための手段を含み、ベースユニットがバックアップ電源として結合形ハンドセット・バッテリを利用していれば、ユーザがロック解除スイッチを付勢しない限り、結合形ハンドセット・バッテリが充電クレードルから取り外されるのを防止する、請求項１記載の無線電話システム。
【請求項８】  無線電話システムは、さらに１またはそれ以上の無線ハンドセットを含み、ベースユニットは、ＡＣ電力源に結合可能であって、ベース送受信機と、充電クレードルと、充電ユニットとを含み、各ハンドセットは、ハンドセット送受信機およびハンドセットに電力を供給する充電可能なハンドセット・バッテリを含み、
（ａ）ベース送受信機とハンドセット送受信機を介して各ハンドセットと通信を行うステップと、
（ｂ）取り外されたハンドセット・バッテリと充電可能なハンドセット・バッテリの１つを含む結合形ハンドセット・バッテリを充電クレードルに物理的にドッキングさせるステップと、
（ｃ）結合形ハンドセット・バッテリを充電ユニットで充電するステップと、
（ｄ）ベースユニットでＡＣ電源の異常を検出するステップと、
（ｅ）ＡＣ電源の異常の検出に応答して、ベースユニット用のバックアップ電源として結合形ハンドセット・バッテリを利用するステップと、
を含み、
さらに、
（ｆ）ベースユニットが、ステップ（ｅ）において、バックアップ電源として結合形ハンドセット・バッテリを利用していれば、ＡＣ電源の異常が検出されたことを１あるいはそれ以上の無線ハンドセットに通知するために、１あるいはそれ以上の無線ハンドセットに通知する通知信号を送信するステップを含む、無線電話システムのベースユニット用の電源を維持する方法。
【請求項９】  １あるいはそれ以上の無線ハンドセットが、複数の無線ハンドセットからなる、請求項８記載の方法。
【請求項１０】  ベース送受信機は、各ハンドセットに排他的オーディオ・パケット・タイムスロットを割り当てるＴＤＭＡエポックに従ってハンドセット送受信機を介して各ハンドセットと割り当てられたＲＦチャンネルによって時分割多元接続（ＴＤＭＡ）リンクを確立する、請求項９記載の方法。
【請求項１１】  充電クレードルは、複数の無線ハンドセットの１個のハンドセットと結合形ハンドセットの充電可能ハンドセット・バッテリとを物理的にドッキングさせ、結合形ハンドセット・バッテリは結合形ハンドセットの充電可能ハンドセット・バッテリを含む、請求項９記載の方法。
【請求項１２】  １あるいはそれ以上の無線ハンドセットは、１個のハンドセットを含み、結合形ハンドセット・バッテリは、取り外されたハンドセット・バッテリである、請求項９記載の方法。
【請求項１３】  ベースユニットは、複数の充電クレードルを含む、請求項９記載の方法。
【請求項１４】  ベースユニットは、それがバックアップ電源として結合形ハンドセット・バッテリを使用していれば、ユーザがロック解除スイッチを付勢しない限り、結合形ハンドセット・バッテリが充電クレードルから取り外されるのを防止する、前記充電クレードル中のロック機構を付勢する、請求項８記載の方法。
【請求項１５】  各ハンドセットは、ハンドセット送受信機およびハンドセットに電力を供給する充電可能なハンドセット・バッテリを含み、
ベースユニットは、
（ａ）前記ハンドセット送受信機を介して各ハンドセットとＲＦチャンネルで通信を行うベース送受信機と、
（ｂ）取り外されたハンドセット・バッテリと充電可能ハンドセット・バッテリの１つからなる結合形ハンドセット・バッテリと物理的にドッキングする充電クレードルと、
（ｃ）結合形ハンドセット・バッテリを充電する充電ユニットと、を含み、
ベースユニットはＡＣ電力源に結合可能であり、ＡＣ電源からのＡＣ電力に異常があると、バックアップ電源としてこの結合形ハンドセット・バッテリを利用し、
さらに、特徴として、（ｄ）ベースユニットがバックアップ電源として結合形ハンドセット・バッテリを利用していれば、ＡＣ電源の異常が検出されたことを１またはそれ以上の無線ハンドセットに通知するために、１あるいはそれ以上の無線ハンドセットに通知信号を送信する手段を含む、
１あるいはそれ以上の無線ハンドセットと通信を行うベースユニット。
【請求項１６】  １あるいはそれ以上の無線ハンドセットが、複数の無線ハンドセットを含む、請求項１５記載のベースユニット。
【請求項１７】  ベース送受信機は、各ハンドセットに排他的オーディオ・パケット・タイムスロットを割り当てる時分割多元接続エポックに従ってハンドセット送受信機を介して各ハンドセットと割り当てられたＲＦチャンネルで時分割多元接続（ＴＤＭＡ）リンクを確立する手段を含む、請求項１６記載のベースユニット。
【請求項１８】  充電クレードルは、複数の無線ハンドセットの中の１つのハンドセットと結合形ハンドセットの充電可能なハンドセット・バッテリとを物理的にドッキングさせ、結合形ハンドセット・バッテリは結合形ハンドセットの充電可能ハンドセット・バッテリを含む、請求項１６記載のベースユニット。
【請求項１９】  １あるいはそれ以上の無線ハンドセットは、１個のハンドセットを含み、結合形ハンドセット・バッテリは取り外されたハンドセット・バッテリである、請求項１５記載のベースユニット。
【請求項２０】  さらに複数の充電クレードルを含む、請求項１５記載のベースユニット。
【請求項２１】  ベースユニットは、それがバックアップ電源として結合形ハンドセット・バッテリを使用していれば、ユーザがロック解除スイッチを付勢しない限り、結合形ハンドセット・バッテリが充電クレードルから取り外されるのを防止する、前記充電クレードル中のロック機構を付勢する手段を含む、請求項１５記載のベースユニット。
【手続補正２】
【補正対象書類名】明細書
【補正対象項目名】発明の名称
【補正方法】変更
【補正の内容】
【発明の名称】無線電話システム、無線電話システムのベースユニット用の電源を維持する方法、およびベースユニット
【手続補正３】
【補正対象書類名】明細書
【補正対象項目名】０００４
【補正方法】変更
【補正の内容】
【０００４】
発明の概要
無線電話システムは１あるいはそれ以上の無線ハンドセットおよび１個のベースユニットを含んでいる。各ハンドセットはハンドセット送受信機（トランシーバ：ｔｒａｎｓｃｅｉｖｅｒ）とハンドセットに電力を供給するための再充電可能なハンドセット・バッテリとを有している。ベースユニットは、ハンドセット送受信機を介して各ハンドセットとＲＦチャンネルによって通信を行うためのベース送受信機（トランシーバ）、取り外されたハンドセット・バッテリとハンドセットのうちの１つを含む結合形（ｄｏｃｋｅｄ：ドックト）ハンドセット・バッテリと物理的にドッキング（ｄｏｃｋｉｎｇ）する充電クレードル（ｃｒａｄｌｅ：受台）と、結合形ハンドセット・バッテリを充電するための充電ユニットとを具えている。ベースユニットはＡＣ電源に結合されており、バックアップ電源として前記結合形ハンドセット・バッテリを利用しており、ＡＣ電源からのＡＣ電力が失われれるか、異常が発生してもベースユニットとハンドセットとの間の通信が途切れるのを防止する。
請求の範囲と実施例との対応関係を図面で使われている参照符号で示すと次の通りである。
（請求項１）  （ａ）各々（１２０１）がハンドセットに電力を供給するための充電可能なハンドセット・バッテリ（１２３）を具えた１あるいはそれ以上の無線ハンドセット（１２０）と、
（ｂ）ＡＣ電源（１３０）に結合されており、結合形ハンドセット・バッテリ（１１９、１２３）を充電するために（１１７）、前記結合形ハンドセット・バッテリと物理的にドッキングし、またＡＣ電源の異常に応答して、前記結合形ハンドセット・バッテリからベースユニットに電力を供給する充電クレードル（１１８）を具えたベースユニットと、
を含み、
ベースユニットは、さらに、それがバックアップ電源として結合形ハンドセット・バッテリを利用していれば、ＡＣ電源に異常が検出されたことを１あるいはそれ以上の無線ハンドセットに通知するために、前記１あるいはそれ以上の無線ハンドセットに通知信号を送信する手段を含んでいる、
無線電話システム。
（請求項２）  １あるいはそれ以上の無線ハンドセット、複数の無線ハンドセット（１２０１−Ｎ）からなる、請求項１記載の無線電話システム。
（請求項３）  各ハンドセットは、ハンドセット送受信機（１２１、１２２）を含み、ベースユニットは、前記ハンドセット送受信機を経由して各ハンドセットと通信を行うためのベース送受信機（１１１、１１２）を含み、ベース送受信機は、各ハンドセットに対して排他的オーディオ・パケット・タイムスロットを割り当てる時分割多元接続（ＴＤＭＡ）エポックに従って、ハンドセット送受信機を介して各ハンドセットと割り当てられたＲＦチャンネルを経て時分割多元接続リンクを確立する手段を含んでいる、請求項２記載の無線電話システム。
（請求項４）  充電クレードル（１１８）は、複数の無線ハンドセット（１２０１−Ｎ）のうちの１個のハンドセット（１２０ｉ）と結合形ハンドセット（１２０ｉ）の充電ハンドセット・バッテリ（１２３）と物理的にドッキングし、結合形ハンドセット・バッテリ（１１９）は、前記結合形ハンドセット（１２０ｉ）の充電可能ハンドセット・バッテリ（１２３）を含む、請求項２記載の無線電話システム。
（請求項５）  １あるいはそれ以上の無線ハンドセット（１２０）は、単一のハンドセット（１２０１）を含み、結合形ハンドセット・バッテリ（１１９）は、取り外されたハンドセット・バッテリ（１１９）を含んでいる、請求項１記載の無線電話システム。
（請求項６）  ベースユニットは、複数の充電クレードルを含む、請求項１記載の無線電話システム。
（請求項７）  ベースユニットは、充電クレードル中にロック機構を付勢するための手段を含み、ベースユニットがバックアップ電源として結合形ハンドセット・バッテリを利用していれば、ユーザがロック解除スイッチを付勢しない限り、結合形ハンドセット・バッテリが充電クレードルから取り外されるのを防止する、請求項１記載の無線電話システム。
（請求項８）  無線電話システムは、さらに１またはそれ以上の無線ハンドセット（１２０）を含み、ベースユニットは、ＡＣ電力源に結合可能であって、ベース送受信機（１１１、１１２）と、充電クレードル（１１８）と、充電ユニット（１１７）とを含み、各ハンドセットは、ハンドセット送受信機（１２１、１２２）およびハンドセットに電力を供給する充電可能なハンドセット・バッテリ（１２３）を含み、
（ａ）ベース送受信機とハンドセット送受信機を介して各ハンドセットと通信を行うステップと、
（ｂ）取り外されたハンドセット・バッテリ（１１９）と充電可能なハンドセット・バッテリ（１２３）の１つを含む結合形ハンドセット・バッテリ（１１９、１２３）を充電クレードルに物理的にドッキングさせるステップと、
（ｃ）結合形ハンドセット・バッテリを充電ユニットで充電するステップと、
（ｄ）ベースユニットでＡＣ電源の異常を検出するステップと、
（ｅ）ＡＣ電源の異常の検出に応答して、ベースユニット用のバックアップ電源として結合形ハンドセット・バッテリを利用するステップと、
を含み、
さらに、
（ｆ）ベースユニットが、ステップ（ｅ）において、バックアップ電源として結合形ハンドセット・バッテリを利用していれば、ＡＣ電源の異常が検出されたことを１あるいはそれ以上の無線ハンドセットに通知するために、１あるいはそれ以上の無線ハンドセットに通知する通知信号を送信するステップを含む、無線電話システム（１００）のベースユニット（１１０）用の電源を維持する方法。
（請求項９）  １あるいはそれ以上の無線ハンドセットが、複数の無線ハンドセット（１２０１−Ｎ）からなる、請求項８記載の方法。
（請求項１０）  ベース送受信機は、各ハンドセットに排他的オーディオ・パケット・タイムスロットを割り当てるＴＤＭＡエポックに従ってハンドセット送受信機を介して各ハンドセットと割り当てられたＲＦチャンネルによって時分割多元接続（ＴＤＭＡ）リンクを確立する、請求項９記載の方法。
（請求項１１）  充電クレードル（１１８）は、複数の無線ハンドセット（１２０１−Ｎ）の１個のハンドセット（１２０ｉ）と結合形ハンドセット（１２０１）の充電可能ハンドセット・バッテリ（１２３）とを物理的にドッキングさせ、結合形ハンドセット・バッテリ（１１９）は結合形ハンドセット（１２０ｉ）の充電可能ハンドセット・バッテリ（１２３）を含む、請求項９記載の方法。
（請求項１２）  １あるいはそれ以上の無線ハンドセットは、１個のハンドセット（１２０１）を含み、結合形ハンドセット・バッテリ（１１９）は、取り外されたハンドセット・バッテリ（１１９）である、請求項９記載の方法。
（請求項１３）  ベースユニットは、複数の充電クレードルを含む、請求項９記載の方法。
（請求項１４）  ベースユニットは、それがバックアップ電源として結合形ハンドセット・バッテリ（１１９、１２３）を使用していれば、ユーザがロック解除スイッチを付勢しない限り、結合形ハンドセット・バッテリが充電クレードル（１１８）から取り外されるのを防止する、前記充電クレードル中のロック機構を付勢する、請求項８記載の方法。
（請求項１５）  各ハンドセット（１２０１）は、ハンドセット送受信機（１２１、１２２）およびハンドセットに電力を供給する充電可能なハンドセット・バッテリ（１２３）を含み、
ベースユニットは、
（ａ）前記ハンドセット送受信機を介して各ハンドセットとＲＦチャンネルで通信を行うベース送受信機（１１１、１１２）と、
（ｂ）取り外されたハンドセット・バッテリ（１２９）と充電可能ハンドセット・バッテリ（１２３）の１つからなる結合形ハンドセット・バッテリ（１１９、１２３）と物理的にドッキングする充電クレードル（１１８）と、
（ｃ）結合形ハンドセット・バッテリを充電する充電ユニット（１１７）と、を含み、
ベースユニットはＡＣ電力源（１３０）に結合可能であり、ＡＣ電源からのＡＣ電力に異常があると、バックアップ電源としてこの結合形ハンドセット・バッテリ（１１９、１２３）を利用し、
さらに、特徴として、（ｄ）ベースユニットがバックアップ電源として結合形ハンドセット・バッテリを利用していれば、ＡＣ電源の異常が検出されたことを１またはそれ以上の無線ハンドセットに通知するために、１あるいはそれ以上の無線ハンドセットに通知信号を送信する手段を含む、
１あるいはそれ以上の無線ハンドセット（１２０）と通信を行うベースユニット。
（請求項１６）  １あるいはそれ以上の無線ハンドセットが、複数の無線ハンドセット（１２０１−Ｎ）を含む、請求項１５記載のベースユニット。
（請求項１７）  ベース送受信機は、各ハンドセットに排他的オーディオ・パケット・タイムスロットを割り当てる時分割多元接続エポックに従ってハンドセット送受信機を介して各ハンドセットと割り当てられたＲＦチャンネルで時分割多元接続（ＴＤＭＡ）リンクを確立する手段を含む、請求項１６記載のベースユニット。
（請求項１８）  充電クレードル（１１８）は、複数の無線ハンドセット（１２０１−Ｎ）の中の１つのハンドセット（１２０ｉ）と結合形ハンドセット（１２０１）の充電可能なハンドセット・バッテリ（１２３）とを物理的にドッキングさせ、結合形ハンドセット・バッテリ（１１９）は結合形ハンドセット（１２０１）の充電可能ハンドセット・バッテリ（１２３）を含む、請求項１６記載のベースユニット。
（請求項１９）  １あるいはそれ以上の無線ハンドセットは、１個のハンドセット（１２０１）を含み、結合形ハンドセット・バッテリ（１１９）は取り外されたハンドセット・バッテリ（１１９）である、請求項１５記載のベースユニット。
（請求項２０）  さらに複数の充電クレードルを含む、請求項１５記載のベースユニット。
（請求項２１）  ベースユニットは、それがバックアップ電源として結合形ハンドセット・バッテリを使用していれば、ユーザがロック解除スイッチを付勢しない限り、結合形ハンドセット・バッテリが充電クレードルから取り外されるのを防止する、前記充電クレードル中のロック機構を付勢する手段を含む、請求項１５記載のベースユニット。